(57)【要約】【課題】  従来の物品収納庫において筺体内に物品収納ラックを組み付ける場合、作業性が悪い。【解決手段】  本発明による物品収納庫は、左右一対の側部１１ａ，底部１１ｂ，天井部１１ｃ，背面部１１ｄを有する筺体１１と、この筺体１１内に収容され、左右方向に配列する物品収納ラック１５と、左右一対の側部１１ａおよびこれらにそれぞれ隣接する物品収納ラック１５の間ならびに左右一対の側部１１ａの対向方向に沿って相互に隣り合う物品収納ラック１５の間にそれぞれ配される横壁断熱部材１６，１２と、前後方向に延在するように天井部１１ｃに固定され、横壁断熱部材１６，１２の上端部をそれぞれ保持する横壁保持部材２３1〜２３6と、左右両端部が左右一対の側部１１ａの対向方向に相隔てた横壁保持部材２３1〜２３6にそれぞれ固定され、物品収納ラック１５の上端に設けられた掛け具２６が連結される吊り具２４とを具える。【選択図】  図３
2005032152.tif 000002
【特許請求の範囲】
【請求項１】
左右一対の側部，底部，天井部および背面部を有する筺体と、
この筺体内に収容され、前記左右一対の側部の対向方向に沿って配列する複数の物品収納ラックと、
前記左右一対の側部とこれらにそれぞれ隣接する前記物品収納ラックとの間および前記左右一対の側部の対向方向に沿って相互に隣り合う前記物品収納ラックの間にそれぞれ配される複数の横壁断熱部材と、
前後方向に延在するように前記天井部に固定され、前記横壁断熱部材の上端部をそれぞれ保持する複数の横壁保持部材と、
左右両端部が前記左右一対の側部の対向方向に相隔てた前記横壁保持部材にそれぞれ固定され、前記物品収納ラックの上端に設けられた掛け具が連結される吊り具と
を具えたことを特徴とする物品収納庫。
【請求項２】
前記掛け具が左右方向に延在していることを特徴とする請求項１に記載の物品収納庫。
【請求項３】
前記天井部と前記横壁保持部材との間に組み込まれる天井断熱部材をさらに具えたことを特徴とする請求項１または請求項２に記載の物品収納庫。
【請求項４】
前記天井部に形成されて前記天井断熱部材に対応した厚みを有する補強部材をさらに具え、この補強部材を介して前記横壁保持部材が前記天井部に固定されていることを特徴とする請求項３に記載の物品収納庫。
【請求項５】
前記補強部材は、前記天井部の前端部および後端部にそれぞれ形成されていることを特徴とする請求項４に記載の物品収納庫。
【請求項６】
前記筺体は、前記天井部と前記底部との間に位置する中底部をさらに有し、前記物品収納ラックはこの中底部と前記天井部との間に収容されることを特徴とする請求項１から請求項５の何れかに記載の物品収納庫。
【請求項７】
前記物品収納ラックと前記筺体の前記背面部との間に組み込まれる背部断熱部材および前記中底部に組み込まれる中底断熱部材をさらに具えたことを特徴とする請求項６に記載の物品収納庫。
【発明の詳細な説明】
【技術分野】
【０００１】
本発明は、多数の物品がそれぞれ収納された複数の物品収納ラックを横壁断熱部材を介して仕切った状態で収容する物品収納庫に関し、特に自動販売機に応用して好適なものである。
【背景技術】
【０００２】
各種飲料などの自動販売機においては、内部に収納された商品を適正な温度に保持することが要求されるため、筺体などを断熱性に優れた発泡ウレタン樹脂などで内張りすることが一般的となっている。特に、冷やすことが好ましい商品と温めることが好ましい商品とを同時に取り扱う自動販売機においては、冷却庫および加温庫の密閉性を高めると同時にこれら冷却庫および加温庫の間での熱移動を極力少なくする必要があるため、例えば特許文献１に記載されているように、冷却庫と加温庫との間の仕切り壁を断熱性に優れた発泡ウレタン樹脂などで形成することが一般的である。
【０００３】
このような断熱性の高い仕切り壁を筺体に取り付ける場合、特許文献１では内箱の天井部に固定されるラック取付金具に係合溝を切り欠き、この係合溝に仕切り壁の上端部を差し込み、これを保持するようにしている。また、筺体の側部に配設される断熱壁は、ラック取付金具の側端部と筺体の側部とで断熱壁の上端部を挟み込み、これを保持するようにしている。
【０００４】
なお、商品を収容する商品収納ラックは、ラック取付金具を介して内箱の天井部に吊り下げられた状態となり、内箱はその周囲を断熱材で覆われた状態となる。
【０００５】
【特許文献１】特開平１１−３０６４３１号公報
【特許文献２】特開２０００−１６３６３９号公報
【発明の開示】
【発明が解決しようとする課題】
【０００６】
特許文献１に記載された従来の自動販売機では、板金などで形成される内箱内を断熱仕切り壁にて冷却庫と加温庫とに仕切っているものの、内箱自体が熱伝達媒体となってしまうため、冷却庫および加温庫の断熱性をそれぞれ良好に保つことが基本的に困難である。
【０００７】
このような内箱の存在に伴う断熱性の問題を回避するため、内箱を持たない構造の自動販売機が特許文献２にて提案されている。このような内箱を持たない自動販売機において、ラック取付金具を筺体の天井部に固定する場合、天井部の内側に組み込まれる天井断熱材との干渉をどのように回避するかが重要となる。しかしながら、特許文献２にはこの点に関する開示が全くなされていない。
【０００８】
（発明の目的）
本発明の目的は、内部が断熱仕切り壁にて仕切られ、かつ断熱性に優れ、特に自動販売機に用いて好適な物品収納庫を提供することにある。
【課題を解決するための手段】
【０００９】
本発明による物品収納庫は、左右一対の側部，底部，天井部および背面部を有する筺体と、この筺体内に収容され、前記左右一対の側部の対向方向に沿って配列する複数の物品収納ラックと、前記左右一対の側部とこれらにそれぞれ隣接する前記物品収納ラックとの間および前記左右一対の側部の対向方向に沿って相互に隣り合う前記物品収納ラックの間にそれぞれ配される複数の横壁断熱部材と、前後方向に延在するように前記天井部に固定され、前記横壁断熱部材の上端部をそれぞれ保持する複数の横壁保持部材と、左右両端部が前記左右一対の側部の対向方向に相隔てた前記横壁保持部材にそれぞれ固定され、前記物品収納ラックの上端に設けられた掛け具が連結される吊り具とを具えたことを特徴とするものである。
【００１０】
本発明においては、物品収納ラックの上端に設けた掛け具が連結される吊り具の左右両端部を横壁保持部材にそれぞれ固定し、これら横壁保持部材を筺体の天井部に直接固定しているため、横壁保持部材は、横壁断熱部材の上端部を保持する機能に加え、物品収納ラックの上端部の掛け具が連結される吊り具を筺体の天井部に固定するための連結部材としての機能を併せ持つこととなり、物品収納ラックは吊り具および横壁保持部材を介して筺体の天井部に吊り下げられた状態となる。吊り具に掛け具を連結する際には、物品収納ラックを上向きに傾けた状態で作業を行うことができる。
【００１１】
本発明による物品収納庫において、掛け具が左右方向に延在しているものであってよい。
【００１２】
天井部と横壁保持部材との間に組み込まれる天井断熱部材をさらに具えることができる。この場合、天井部に形成されて天井断熱部材に対応した厚みを有する補強部材をさらに具え、この補強部材を介して横壁保持部材が天井部に固定されるものであってよく、補強部材が天井部の前端部および後端部にそれぞれ形成されていることが好ましい。
【００１３】
筺体は、天井部と底部との間に位置する中底部をさらに有し、物品収納ラックはこの中底部と天井部との間に収容されるものであってよい。
【００１４】
物品収納ラックと筺体の背面部との間に組み込まれる背部断熱部材および物品収納ラックと中底部との間に組み込まれる中底断熱部材をさらに具えることができる。
【発明の効果】
【００１５】
本発明の物品収納庫によると、前後方向に延在して横壁断熱部材の上端部を保持する複数の横壁保持部材を筺体の天井部に固定し、物品収納ラックの上端部に設けた掛け具が連結される吊り具の左右両端部をこれら横壁保持部材に固定したので、従来のような内箱を省略することができ、軽量化と相俟って内箱の存在に起因する断熱性の低下を防止することができる。しかも、吊り具に掛け具を連結する際に、物品収納ラックを上向きに傾けた状態で作業を行うことができ、その作業性を従来のものよりも著しく容易に改善することができる。
【００１６】
掛け具を左右方向に延在させた場合、掛け具と吊り具との接触面積を増大させることができ、物品収納ラックを吊り具に安定して吊ることができる。
【００１７】
天井部と横壁保持部材との間に天井断熱部材を組み込んだ場合には、筺体の天井部との間の断熱性を向上させて物品収納ラックから上方への放熱を阻止することができる。
【００１８】
天井断熱部材に対応した厚みを有する補強部材を天井部に形成し、この補強部材を介して横壁保持部材を天井部に固定した場合には、天井部の強度を向上させると同時に天井断熱部材を組み込むための空間を確保することができる。特に、補強部材を天井部の前端部および後端部にそれぞれ形成した場合には、前後の補強部材の間に天井断熱部材を組み込むことができる。
【００１９】
筺体が天井部と底部との間に位置する中底部をさらに有し、物品収納ラックがこの中底部と天井部との間に収容されている場合、特に物品収納ラックと筺体の背面部との間に背部断熱部材を組み込むと共に物品収納ラックと中底部との間に中底断熱部材を組み込んだ場合には、物品収納ラック内に収納された物品に対する断熱性をさらに向上させることができる。
【発明を実施するための最良の形態】
【００２０】
本発明による商品収納庫を自動販売機に応用した一実施形態について、図１〜図４を参照しながら詳細に説明するが、本発明はこれらの実施形態のみに限らず、これらをさらに組み合わせたり、特許請求の範囲に記載された本発明の概念に包含されるあらゆる変更や修正が可能であり、従って本発明の精神に帰属する他の任意の技術にも当然応用することができる。
【００２１】
本実施形態における自動販売機の縦断面形状を図１に模式的に示し、その上端部の拡大断面形状を図２に示し、主要部の外観を分解状態で図３に模式的に示し、その一部を抽出拡大して図４に示す。すなわち、前部に開口１０を有する筺体１１は、左右一対の側部１１ａと底部１１ｂと天井部１１ｃと背面部１１ｄとからなり、底部１１ｂの上方には、筐体１１内を上下に仕切る中底部１１ｅが組み込まれている。筐体１１の前部の開口１０を塞ぐように、図示しない扉部材が一方の側部１１ａに図示しない蝶番を介して開閉可能に取り付けられている。中底部１１ｅで上下に仕切られた筐体１１の上部は、側部１１ａと平行に相隔てて配設される複数（図示例では２枚）の断熱仕切り部材１２により、本実施例ではさらに３つの部屋１３ａ，１３ｂ，１３ｃに仕切られている。各部屋１３ａ〜１３ｃには、それぞれ多数の商品１４を上下に蛇行状態で詰め込む商品収納ラック１５がそれぞれ複数個（図示例では３つ）ずつ前後に並んだ状態で収容されている。左右の部屋１３ａ，１３ｃは、商品収納ラック１５と筺体１１との間に介装される左右一対の側部断熱部材１６と、中底部１１ｅに設けられる中底部断熱部材１７と、天井部１１ｃに設けられる天井部断熱部材１８と、背面部１１ｄに設けられる背面部断熱部材１９と、扉部材に組み込まれた図示しない前部断熱部材とでそれぞれ囲まれ、これら左右の部屋１３ａ，１３ｃに挟まれた中央の部屋１３ｂは、前述した断熱仕切り部材１２および中底部断熱部材１７，天井部断熱部材１８，背面部断熱部材１９と、前述した扉部材の前部断熱部材とで囲まれている。
【００２２】
筐体１１の中底部１１ｅの上には、各部屋１３ａ〜１３ｃに収容される商品収納ラック１５の下端部に位置する商品１４に温風または冷風を吹き付けるための加熱／冷却ユニット２０がそれぞれ設けられ、これら加熱／冷却ユニット２０には中底部１１ｅの下方の筺体１１の底部１１ｂに設置された図示しない冷凍ユニットのコンデンサが図示しない冷媒配管を介して連結されている。これら加熱／冷却ユニット２０は、商品収納ラック１５に収納される商品１４に応じて温風と冷風とを切り換えることができるようになっており、個々の部屋１３ａ〜１３ｃ毎にファン２０ａによって温風または冷風の循環供給が間欠的に行われる。
【００２３】
上述した筺体１１や扉部材および商品収納ラック１５などは板金にて形成されている。また、断熱仕切り部材１２，左右一対の側部断熱部材１６，中底部断熱部材１７，天井部断熱部材１８および前部断熱部材は発泡硬質ウレタン樹脂などを主体として形成され、以下に説明する筐体１１の天井部１１ｃに対する商品収納ラック１５の取り付け構造以外の自動販売機自体の詳細な構成は、従来のものと基本的に同じである。
【００２４】
すなわち、筺体１１の天井部１１ｃの前端部には、左右方向に沿って延びるいわゆるハット形断面の前部補強部材２１が接合され、天井部１１ｃとで箱型断面の補強構造を形成している。同様に、筺体１１の天井部１１ｃの後端と背面部１１ｄの上端との交差部分に沿って溝形断面の後部補強部材２２が一体的に接合されている。
【００２５】
筺体１１の側部１１ａの上端部とで側部断熱部材１６の上端部をそれぞれ挟んでこれを保持する山形断面の横壁保持部材２３1，２３6は、その前端部および後端部が筺体１１の側部１１ａの上端と天井部１１ｃの側端との交差部分に沿って前部補強部材２１の下端と後部補強部材２２の下端とにそれぞれ接合されている。同様に、断熱仕切り部材１２を筐体１１内の所定位置に保持するため、これらの上端部をそれぞれ挟んだ状態で保持する複数対（図示例では二対）の横壁保持部材２３2，２３3および２３4，２３5の前端部および後端部が、上述した横壁保持部材２３1，２３6と平行に前部補強部材２１の下端部と後部補強部材２２の下端部とにそれぞれ接合されている。断熱仕切り部材１２をそれぞれ挟む各対の横壁保持部材２３2，２３3および２３4，２３5の間隔は、これら断熱仕切り部材１２の上端部の厚みにほぼ対応している。各横壁保持部材２３1〜２３6は、筐体１１の天井部１１ｃと平行な水平固定部２３ａと、筐体１１の側部１１ａと平行な垂直押え部２３ｂとをそれぞれ有し、水平固定部２３ａには後述する吊り具２４の左右両端部を掛け止めるための切欠部２５が所定間隔で前後方向に３つずつ形成されている。
【００２６】
左右の部屋１３ａ，１３ｃに位置する２つの横壁保持部材２３1，２３2および２３5，２３6の間、つまり筐体１１の側部１１ａにそれぞれ配される側部断熱部材１６用の横壁保持部材２３1，２３6と、これら側部断熱部材１６に隣り合う断熱仕切り部材１２用の横壁保持部材２３2，２３5との間、ならびに中央の部屋１３ｂに位置する２つの横壁保持部材２３3，２３4の間には、左右方向に延びる吊り具２４が前後方向に所定間隔でそれぞれ３本ずつ掛け渡されている。これら吊り具２４は、筐体１１の天井部１１ｃと平行な水平連結部２４ａと、この水平連結部２４ａから筐体１１の背面部１１ｄと平行に延びる縦壁部２４ｂと、この縦壁部２４ｂの下端から水平連結部２４ａとほぼ平行に延びる受け部２４ｃと、この受け部２４ｃの先端から上方に立ち上がる係止部２４ｄとを有する。各吊り具２４の受け部２４ｃから個々の係止部２４ｄの上端までの高さはすべて同じに設定され、水平連結部２４ａと受け部２４ｃとの間の縦壁部２４ｂの高さよりも充分低く設定されている。また、本実施例では筐体１１の背面部１１ｄに近い吊り具２４ほどその縦壁部２４ｂの高さが高くなるように、縦壁部２４ｂの高さがそれぞれ異なる３種類の吊り具２４を使用している（図１参照）。各吊り具２４は、縦壁部２４ｂに対して係止部２４ｄが筐体１１の開口１０側に位置するように、これらの向きが設定され、これら吊り具２４の水平連結部２４ａの左右両端部が横壁保持部材２３1〜２３6の前述した切欠部２５を介して横壁保持部材２３1〜２３6の水平固定部２３ａにスポット溶接やかしめあるいはねじ止めなどの周知の手法を用いて一体的に接合されている。
【００２７】
このように、前部補強部材２１および後部補強部材２２を介して筺体１１の天井部１１ｃに横壁保持部材２３1〜２３6および吊り具２４を一体的に固定することにより、従来のような内箱を筺体１１内に組み込む必要がなくなり、自動販売機全体の軽量化および断熱性の向上を企図することができる。
【００２８】
上述した吊り具２４に対して個々の商品収納ラック１５を吊り下げるため、個々の商品収納ラック１５の上端部には、左右方向に延びる掛け具２６が突出状態で設けられている。個々の掛け部２６は、商品収納ラック１５の上端面から上方に突出する縦壁部２６ａと、この縦壁部２６ａの上端から商品収納ラック１５の上端面とほぼ平行に延びる載せ部２６ｂと、この載せ部２６ｂの先端から下方に折れ曲がる係止部２６ｃとを有する。各掛け具２６は、縦壁部２６ａに対して係止部２６ｃが筐体１１の背面部１１ｄ側に位置するように、これらの向きが設定されており、吊り具２４に対して掛け具２６を正しく引っ掛けた状態において、吊り具２４の縦壁部２４ｂと係止部２４ｄとの間に掛け具２６の係止部２６ｃが位置すると共に掛け具２６の縦壁部２６ａと係止部２６ｃとの間に吊り具２４の係止部２４ｄが位置し、商品収納ラック１５をその自重に抗して上方に持ち上げない限り、吊り具２４の係止部２４ｄから掛け具２６の係止部２６ｄが抜け外れないようになっている。
【００２９】
本実施例のように、吊り具２４の縦壁部２４ｂの高さ、つまり吊り具２４の受け部２４ｃの位置を横壁保持部材２３の下端に対して筐体１１の背面部１１ｄ側ほどより下方に位置させることにより、特に筐体１１の奥に位置する商品収納ラック１５の掛け部２６を吊り具２４に引っ掛けて吊り下げるための作業性を向上させることができる。この場合、図１中の二点鎖線で示すように、商品収納ラック１５の上部が筐体１１の背面部１１ｄ側に倒れるように、商品収納ラック１５を傾斜させた状態で商品収納ラック１５の掛け具２６を吊り具２４に引っ掛けることができることと相俟って、長尺の商品収納ラック１５に対する操作性を従来のものよりも大幅に改善することが可能である。
【産業上の利用可能性】
【００３０】
本発明は、冷却すべき商品と加温すべき商品とを収容する清涼飲料水などの自動販売機に利用することができる。
【図面の簡単な説明】
【００３１】
【図１】本発明による物品収納庫を自動販売機に応用した一実施例の内部構造を表す縦断面図である。
【図２】図１に示した自動販売機の上端部の部分の抽出拡大断面図である。
【図３】図１に示した自動販売機の分解立体図であり、商品収納ラックなどは省略している。
【図４】図３に示した自動販売機の上端部の透視立体図である。
【符号の説明】
【００３２】
１０    開口
１１    筺体
１１ａ    側部
１１ｂ    底部
１１ｃ    天井部
１１ｄ    背面部
１１ｅ    中底部
１２    断熱仕切り部材
１３ａ〜１３ｃ    部屋
１４    商品
１５    商品収納ラック
１６    側部断熱部材
１７    中底部断熱部材
１８    天井部断熱部材
１９    背面部断熱部材
２０    加熱／冷却ユニット
２０ａ    ファン
２１    前部補強部材
２２    後部補強部材
２３1〜２３6    横壁保持部材
２３ａ    水平固定部
２３ｂ    垂直押え部
２４    吊り具
２４ａ    水平連結部
２４ｂ    縦壁部
２４ｃ    受け部
２４ｄ    係止部
２５    切欠部
２６  掛け具
２６ａ    縦壁部
２６ｂ    載せ部
２６ｃ    係止部
【図１】
2005032152.tif 000003
【図２】
2005032152.tif 000004
【図３】
2005032152.tif 000005
【図４】
2005032152.tif 000006